(57)【要約】【課題】  外観が損なわれることなく、ソケットから脱落しにくいＥ形口金を有するランプおよびこのランプを装着する照明器具を提供する。【解決手段】  ランプ１は、基台２と、外部電源にそれぞれ電気接続される螺旋状の雄ねじ部２６および雄ねじ部２６の先端２６ｃ側に設けられた頂部２８を有し、基台２の一端側６ａに雄ねじ部２６が取り付けられたＥ形の口金３と、基台２の他端側６ｂに設けられ、口金３に外部電源が印加されたときに点灯する発光体４と、雄ねじ部２６の外面２６ａから外方に突出する突出部４６および突出部４６が外方側から押圧されたときに当該押圧に応じて弾性変形し突出部４６を雄ねじ部２６の外方側に変位させるばね部４８を有し、雄ねじ部２６が口金３に適合するソケット５７の雌ねじ部７２に螺合するときに突出部４６が雌ねじ部７２に擦接する伸縮体５と、を具備している。【選択図】図１
2014049381.tif 000002
【特許請求の範囲】
【請求項１】
基台と；
外部電源にそれぞれ電気接続される螺旋状の雄ねじ部およびこの雄ねじ部の先端側に設けられた頂部を有し、前記基台の一端側に前記雄ねじ部が取り付けられたＥ形の口金と；
前記基台の他端側に設けられ、前記口金に外部電源が印加されたときに点灯する発光体と；
前記雄ねじ部の外面から外方に突出する突出部およびこの突出部が外方側から押圧されたときに当該押圧に応じて弾性変形し前記突出部を前記雄ねじ部の外方側に変位させるばね部を有し、前記雄ねじ部が前記口金に適合するソケットの雌ねじ部に螺合するときに前記突出部が前記雌ねじ部に擦接する伸縮体と；
を具備していることを特徴とするランプ。
【請求項２】
前記雄ねじ部の先端側と反対側の端部に基端部があり、前記伸縮体の突出部は、前記基端部に設けられていることを特徴とする請求項１記載のランプ。
【請求項３】
前記口金の雄ねじ部が螺合する雌ねじ部と、前記口金の頂部が当接して前記頂部と電気接続する端子と、前記雌ねじ部および前記端子をそれぞれ配設している有底の筒状の本体とを有するソケットと；
このソケットを配設している器具本体と；
前記ソケットに着脱される請求項１または２記載のランプと；
を具備していることを特徴とする照明器具。
【請求項４】
前記ソケットは、前記端子が前記口金の頂部の当接に対して弾性変形するように形成され、前記雌ねじ部に前記伸縮体の突出部が嵌め込みおよび嵌め外し可能な凹部が設けられていることを特徴とする請求項３記載の照明器具。
【請求項５】
前記ソケットは、前記端子が前記口金の頂部の当接に対して弾性変形するように形成され、前記雌ねじ部に前記伸縮体の突出部が貫通する貫通孔が設けられ、前記本体に前記貫通孔に正対する挿入孔が設けられていることを特徴とする請求項３記載の照明器具。
【発明の詳細な説明】
【技術分野】
【０００１】
本発明の実施形態は、Ｅ形口金を有するランプおよびこのランプを装着する照明器具に関する。
【背景技術】
【０００２】
Ｅ形口金は、電球形ＬＥＤランプ、電球形蛍光ランプおよび電球形高圧放電ランプなどの各種のランプに用いられている。Ｅ形口金は、適合するソケットに十分にねじ込まれることにより、ランプに対する給電機能と固定機能の両方の役目を果たしている。
【０００３】
近年、Ｅ形口金を有する電球形ランプは、消費電力が小さく、長寿命であるＬＥＤを光源とするＬＥＤランプが使用されている。このため、当該電球形ランプは、長期間に亘ってソケットに取り付けられている。
【０００４】
電球形ランプは、経年使用されると、Ｅ形口金およびソケットのそれぞれの経年劣化や振動等により、Ｅ形口金のソケットへのねじ込みが次第に緩んで、Ｅ形口金がソケットから外れて、照明器具から落下することがある。特に、Ｅ形口金は、当初のソケットへのねじ込みが不十分であると、ソケットから外れやすい。このため、例えば、弾性復元力を有する複数個の形状可変部材（伸縮部材）により、電球形ランプを光反射板や器具本体の内側で保持させているものがある（例えば特許文献１参照。）。複数個の形状可変部材は、電球形ランプの基台に、周方向に等間隔に取り付けられている。
【先行技術文献】
【特許文献】
【０００５】
【特許文献１】特開２０１０−１９２２４４号公報（第９−１０頁、第８図）
【発明の概要】
【発明が解決しようとする課題】
【０００６】
電球形ランプを器具本体などの内側で保持させるには、複数個の形状可変部材（伸縮部材）を器具本体などの内側に当接させる必要がある。これにより、電球形ランプは、例え特許文献１に示す規制部材を使用したとしても、ソケットへの取り付けに多大の手間を要するという欠点を有する。
【０００７】
また、電球形ランプは、基台の周方向に複数個の形状可変部材（伸縮部材）を設けているので、大形化し、外観性が損なわれるとともに、コストアップするという欠点を有する。
【０００８】
本発明の実施形態は、外観が損なわれることなく、ソケットから脱落しにくいＥ形口金を有するランプおよびこのランプを装着する照明器具を提供することを目的とする。
【課題を解決するための手段】
【０００９】
実施形態のランプは、基台、Ｅ形の口金、発光体および伸縮体を具備して構成される。
【００１０】
Ｅ形の口金は、螺旋状の雄ねじ部および雄ねじ部の先端側に設けられた頂部を有してなる。雄ねじ部および頂部は、口金に適合するソケットを介して外部電源にそれぞれ電気接続される。そして、口金は、基台の一端側に雄ねじ部が取り付けられている。
【００１１】
発光体は、基台の他端側に設けられている。発光体は、口金に外部電源が印加されたときに点灯する。
【００１２】
伸縮体は、口金の雄ねじ部の外面から外方に突出する突出部と、この突出部が外方側から押圧されたときに、その押圧に応じて弾性変形して突出部を口金の雄ねじ部の外方側に変位させるばね部とを有してなる。突出部は、口金の雄ねじ部が口金に適合するソケットの雌ねじ部に螺合するときに、そのソケットの雌ねじ部に擦接するように形成されている。
【発明の効果】
【００１３】
本発明の実施形態によれば、Ｅ形口金が適合するソケットに取り付けられたときに、伸縮体の突出部は、ソケットの雌ねじ部から押圧されて口金の雄ねじ部の外方側に変位し、ソケットの雌ねじ部からの押圧力に対抗する弾性復帰力で雌ねじ部を押圧するので、口金がソケットの雌ねじ部に保持されるようになり、これにより、口金がソケットから緩んで取り外れにくくなり、ランプがソケットから落下しにくくなることが期待できる。
【図面の簡単な説明】
【００１４】
【図１】本発明の第１の実施形態を示すランプの概略正面断面図である。
【図２】同上、グローブを取り外した状態のランプの概略上面図である。
【図３】同上、照明器具の概略側断面図である。
【図４】同上、ソケットの概略側断面図である。
【図５】本発明の第２の実施形態を示すランプの概略正面断面図である。
【図６】本発明の第３の実施形態を示すソケットの概略側断面図である。
【図７】本発明の第４の実施形態を示す照明器具の概略側断面図である。
【発明を実施するための形態】
【００１５】
以下、本発明の一実施の形態について、図面を参照して説明する。まず、本発明の第１の実施形態について説明する。
【００１６】
本実施形態のランプ１は、図１および図２に示すように構成される。図１において、ランプ１は、基台２、口金３、発光体４および伸縮体５を備えている。
【００１７】
基台２は、筐体６および熱伝導フィン７を有してなり、高熱伝導率を有する金属材料例えばアルミニウム（Ａｌ）からなっている。基台２は、例えば鋳造（アルミダイカスト）により、筐体６および熱伝導フィン７が一体に成形されている。
【００１８】
筐体６は、一端側６ａに開口８、他端側６ｂに開口９を有し、一端側６ａから他端側６ｂに向かって拡開する略椀形に形成されている。筐体６は、所定の厚さ（例えば１．５〜５ｍｍ）を有し、外面６ｅおよび内面６ｆがそれぞれ曲面に形成されている。そして、筐体６の他端側６ｂの端面６ｄには、環状壁１０が形成されている。この環状壁１０の内側の端面６ｄは、環状の平坦な取付け面１１となっている。そして、取付け面１１から環状壁１０に向かって環状溝１２が形成されている。
【００１９】
また、筐体６の他端側６ｂには、筐体６の内面６ｆにダボ１３が形成されている。ダボ１３は、その上面１３ａが取付け面１１（端面６ｄ）と同一面となり、取付け面１１に対して直角に垂下する略蒲鉾形（半円柱形）に形成されている。ダボ１３の上面１３ａには、放熱板１４を取り付けるための不図示のねじ孔が形成されている。そして、ダボ１３は、筐体６の開口８の中心に対して、筐体６の内面６ｆの周方向に１２０°間隔で３個が設けられている。
【００２０】
熱伝導フィン７は、板状に形成され、複数個が筐体６の内面６ｆに設けられている。熱伝導フィン７の板厚は、例えば１〜５ｍｍである。そして、熱伝導フィン７は、筐体６の一端側６ａから他端側６ｂに沿うとともに内面６ｆから筐体６の内方に向かって突出するように設けられている。ここで、熱伝導フィン７は、筐体６の取付け面１１（端面６ｄ）から開口８の近辺に至る内面６ｆに設けられ、上側端面（上面）７ａが取付け面１１（端面６ｄ）と同一面となり、先端としての先端側端面（側端面）７ｂが筐体６の一端側６ａから他端側６ｂの方向に起立するように設けられている。
【００２１】
また、複数個の熱伝導フィン７は、筐体６の内面６ｆの内周方向に等間隔例えば６０°間隔に設けられているとともに、開口８の中心に対して放射状に設けられている。そして、熱伝導フィン７の先端側端面（側端面）７ｂで包囲される筐体６の空間内に取付け体１５が配設されている。
【００２２】
取付け体１５は、有底の略円筒状に形成されており、筐体６の開口８から筐体６内に挿入されている。取付け体１５は、例えばポリブチレンテレフタレート（ＰＢＴ）樹脂により形成され、電気絶縁性を有する。そして、取付け体１５は、その底部１６の上面１６ａが熱伝導フィン７の上側端面７ａと同一面となるように、筐体６の開口８側の端面６ｃに当接する環状座１７が形成されている。取付け体１５は、筐体６の端面６ｃに環状座１７を当接させて、皿ネジ１８により放熱板１４に取り付けられている。
【００２３】
そして、取付け体１５は、その底部１６側の内壁１５ｂに挿通孔１９が形成されている。また、内壁１５ｂに、底部１６から底部１６と反対側の開口２０の端面２０ａに亘って直線状に凹部２１が正対するように一対（図中、１個のみを示す。）形成されている。この一対の凹部２１，２１に、点灯装置２２の回路基板２３の幅方向の両端部が圧入されて、点灯装置２２が取り付けられている。
【００２４】
また、取付け体１５は、その環状座１７よりも開口２０側の外面１５ａに凸条２４が螺旋状に形成されている。そして、凸条２４に口金３が螺合されている。口金３は、取付け体１５の外面１５ａにかしめられて固定されている。
【００２５】
口金３は、例えばＥ３９形の一般照明電球用のソケットに接続可能なものであり、凸条２４に螺合されてかしめられて固定される雄ねじ部２６、この雄ねじ部２６の先端側２６ｃに設けられる絶縁部２７およびこの絶縁部２７の頂点に設けられる頂部２８を有して構成されている。
【００２６】
雄ねじ部２６は、例えばアルミニウム（Ａｌ）からなり、底部２９を有する略円筒状に形成され、頂部２８は、例えば真鍮からなり、凸条の外面２８ａを有する円柱状に形成されている。絶縁部２７は、例えばガラスまたはセラミックからなり、円錐状に形成されて、雄ねじ部２６の底部２９に接着されて取り付けられ、頂点に頂部２８を設けている。
【００２７】
雄ねじ部２６および頂部２８は、後述するソケット５７を介して外部電源にそれぞれ電気接続される。絶縁部２７は、それぞれ金属である雄ねじ部２６および頂部２８を離間して電気絶縁している。こうして、口金３は、取付け体１５に雄ねじ部２６が取り付けられることにより、基台２の筐体６の一端側６ａに取り付けられている。
【００２８】
そして、基台２の筐体６の他端側６ｂに放熱板１４および発光体４が設けられている。放熱板１４は、高熱伝導率を有する金属材料例えばアルミニウム（Ａｌ）からなり、外周側に切り欠き部３０を有する円盤状に形成されている。放熱板１４の厚さは、２〜８ｍｍ例えば４ｍｍである。そして、放熱板１４は、その外周側に筐体６のダボ１３のねじ孔に対応した貫通孔３１が形成されている。また、放熱板１４は、その中央部に皿ネジ１８が挿入される挿入孔３２が形成されている。
【００２９】
放熱板１４、その一面１４ｂの外周側が筐体６の取付け面１１に載置される。このとき、放熱板１４の一面１４ｂ側は、熱伝導フィン７の上側端面７ａに接触する。また、筐体６の開口９は、放熱板１４の切り欠き部３０を除き、放熱板１４により塞がれる。そして、放熱板１４の貫通孔３１とダボ１３のねじ孔とを位置合わせ（正対）させた後、貫通孔３１からダボ１３のねじ孔にねじ３３を完全に螺合する。これにより、放熱板１４は、筐体６の他端側６ｂに取り付けられる。すなわち、放熱板１４は、図２に示すように、放熱板１４の中心１４ｃに対して１２０°間隔で３個のねじ３３により、筐体６の取付け面１１（端面６ｄ）に固定されている。
【００３０】
放熱板１４が筐体６に取り付けられた後、取付け体１５が放熱板１４に取り付けられる。放熱板１４は、図１に示すように、皿ネジ１８により取付け体１５を固定している。図１中、１個の皿ネジ１８のみを示しているが、放熱板１４は、３個の皿ネジ１８により取付け体１５を固定している。そして、皿ネジ１８は、放熱板１４の他面側１４ａから突出しないように設けられている。
【００３１】
図２において、発光体４は、実装基板３４および複数個のＬＥＤ素子３５を有して形成されている。実装基板３４は、例えば厚さ１．２ｍｍの合成樹脂板例えばガラスエポキシ板からなり、外形が例えば正四角形に形成されている。ＬＥＤ素子３５は、パッケージ品であり、例えば白色光を放射するものが用いられている。複数個のＬＥＤ素子３５は、実装基板３４の一面３４ａ側に同心円状に実装されている。
【００３２】
また、実装基板３４の一面３４ａ側には、雌コネクタ３６が実装されている。この雌コネクタ３６は、図示しない配線パターンによりＬＥＤ素子３５に電気接続されている。複数個のＬＥＤ素子３５は、直列接続されている。発光体４は、実装基板３４の一面３４ａ側が発光面となり、この発光面から白色光を放射する。
【００３３】
発光体４は、放熱板１４の他端側１４ａに取り付けられている。すなわち、実装基板３４の４隅側には、ねじ３７が挿通される図示しない取付け孔が設けられている。４個のねじ３７が当該取付け孔を挿通して、放熱板１４に設けられた図示しないねじ孔に螺着されている。これにより、発光体４は、放熱板１４の他端側１４ａの中央部に取り付けられている。
【００３４】
そして、発光体４は、点灯装置２２に接続されている。すなわち、発光体４の雌コネクタ３６に出力線３８の雄コネクタ３９が接続されている。この出力線３８は、図１に示すように、取付け体１５の挿通孔１９を通って点灯装置２２の出力側に接続されている。回路基板２３には、出力用の雌コネクタ４０が実装されており、この雌コネクタ４０に出力線３８の他方の雄コネクタ４１が接続されている。
【００３５】
点灯装置２２は、回路基板２３およびこの回路基板２３に実装された多種類の回路部品４２を有しなり、発光体４のＬＥＤ素子３５を点灯する点灯回路を形成している。回路基板２３は、ガラスエポキシ材などの合成樹脂板やアルミニウム（Ａｌ）などの金属板からなり、長方形に形成されている。金属板の場合、絶縁層が形成されて、回路部品４２が実装されている。そして、回路基板２３は、取付け体１５の一対の凹部２１，２１に圧入されるようにして挿入されて、取付け体１５の内側に取り付けられている。これにより、点灯装置２２は、取り付け体１５に収納されている。
【００３６】
そして、点灯装置２２は、その入力側が口金３の雄ねじ部２６および頂部２８に図示しないリード線で接続されている。点灯装置２２は、口金３の雄ねじ部２６および頂部２８に外部電源が印加すると、その回路部品４２で形成される点灯回路が動作して、発光体４のＬＥＤ素子３５に所定の定電流を供給してＬＥＤ素子３５を点灯（発光）する。これにより、発光板４から白色光が放射される。この白色光は、グローブ４３を通過して外部空間に出射される。
【００３７】
グローブ４３は、基台２の筐体６の他端側６ｂに、発光体４を覆うように取り付けられている。グローブ４３は、透明の合成樹脂材料例えばポリカーボネート（ＰＣ）樹脂により、外形が例えば略半球形に形成されている。そして、グローブ４３の開口端部４4は、筐体６の環状壁１０と同等の外径を有している。グローブ４３は、開口端部４４の端面４４ａが環状壁１０の端面（上面）に密接するように、開口端面４４ａから延在した係止片４５の係止爪４５ａが筐体６の環状溝１２において環状壁１０に係止している。係止片４５は、環状溝１２の周方向に沿い、等間隔に複数個例えば４個が設けられている。
【００３８】
伸縮体５は、突出部４６を有する可動体４７と、この可動体４７を保持し直線上で移動させるばね部４８と、このばね部４８を収容して可動体４７を移動可能に固定する固定体４９とを有してなる。これら可動体４７、ばね部４８および固定体４９は、例えばステンレス（ＳＵＳ）により形成されている。
【００３９】
可動体４７は、有底の外側円筒部４９および外側円筒部４９の底部５０の外面に直角に立設された突出部４６からなり、突出部４６および外側円筒部４９が一体成形されている。突出部４６は、先端４６ａ側が半球形である円柱に形成されている。取付け体１５および口金３の雄ねじ部２６には、それぞれ突出部４６が近接するほどの挿通孔５１，５２が形成されている。
【００４０】
口金３の雄ねじ部２６の先端側２６ｃと反対側の端部に基端部２６ｄがあり、挿通孔５１，５２は、雄ねじ部２６の基端部に形成されている。すなわち、突出部４６は、雄ねじ部２６の基端部２６ｄに設けられている。また、突出部４６は、外側円筒部４９の底部５０が取付け体１５の内面１５ｂに当接したときに、その先端４６ａ側が雄ねじ部２６の外面２６ａから外方に幾分突出する程度の全長に形成されている。
【００４１】
固定体４８は、円盤状の台座部５３およびこの台座部５３の一面から直角に立設した内側円筒部５４からなり、台座部５３および内側円筒部５４が一体成形されている。内側円筒部５４は、可動体４７の外側円筒部４９の内側に挿入されている。そして、内側円筒部５４は、その外周面５４ａが外側円筒部４９の内周面４９ｂに摺接する大きさに形成されている。また、内側円筒部５４は、内側円筒部５４が可動体４７の底部５０に当接したときに、突出部４６の先端４６ａ側が口金３の雄ねじ部２６の外面２６ａから突出しないように、その台座部５３からの起立長が設定されている。
【００４２】
ばね部４８は、コイルばねからなり、その長手方向の両端が固定体４９の台座部５３および可動体４７の底部５０に当接するようにして、固定体４９の内側円筒部５４内および可動体４７の外側円筒部４９内に設けられている。すなわち、ばね部４８は、弾性復帰力を有して可動体４７の底部５０を取付け体１５の内面１５ｂに押圧し、突出部４６の先端４６ａ側が口金３の雄ねじ部２６の外面２６ａから外方に突出するように、突出部４６を雄ねじ部２６の外方側に変位させている。
【００４３】
そして、ばね部４８は、突出部４６が口金３の雄ねじ部２６の外方から押圧されると、当該押圧に応じて長手方向で縮んで弾性変形し、その弾性変形に対して長手方向で伸びるように作用する弾性復帰力で可動体４７の底部５０を押圧するものである。
【００４４】
そして、伸縮体５は、固定体４９の台座部５３が長方形に形成された固定板５５に取り付けられている。取付け体１５には、その開口２０の端面２０ａから底部１６側に向かって直線状であって所定長の一対の固定溝５６，５６（図１中、一方のみを示す。）が形成されている。この一対の固定溝５６，５６に固定板５５の長方形の両端部が圧入されて取り付けられている。
【００４５】
固定板５５は、取付け体１５に点灯装置２２が取り付けられた後に、取付け体１５に取り付けられる。そして、固定板５５および伸縮体５は、取付け体１５に口金３を取り付ける前に、取付け体１５に取り付けられる。まず、可動体４７の突出部４６を取付け体１５の挿通孔５１に挿通する。そして、固定体４９の内側円筒部５４にばね部４８を収容して内側円筒部５４を可動体４７の外側円筒部４９に挿入する。この状態をテープ等で仮固定する。
【００４６】
そして、固定板５５を取付け体１５の一対の固定溝５６，５６に圧入して取り付ける。ここで、一対の固定溝５６，５６側において、固定板５５に接着材を塗布し、固定板５５を取付け体１５に強固に固定するとよい。この後、上記仮固定を解除して、固定体４９の台座部５３を固定板５５に当接させる。そして、台座部５３を固定板５５に例えばろうにより固着させる。これにより、伸縮体５は、固定板５５を介して取付け体１５に取り付けられる。
【００４７】
そして、口金３の雄ねじ部２６を取付け体１５の凸条２４に螺合させる。雄ねじ部２６が突出部４６に当接したときに、突出部４６を雄ねじ部２６の内面２６ｂに押し込み、さらに雄ねじ部２６を凸条２４に螺合させる。そして、雄ねじ部２６に形成させた挿通孔５２を取付け体１５に形成された挿通孔５１に合わせると、突出部４６が挿通孔５２を通って、雄ねじ部２６の外面２６ａから外方に突出する。そして、雄ねじ部２６を取付け体１５にかしめる。これにより、口金３が取付け体１５に取り付けられるとともに、伸縮体５が口金３に設けられる。
【００４８】
口金３は、図３に示すように、適合するソケット５７に取り付けられる。図３は、本実施形態の照明器具５８を示している。図３において、ランプ１は、口金３部分の断面を示している。照明器具５８は、天井５９に直付けされる直付け形照明器具であり、ランプ１、ソケット５７および器具本体６０を有して形成されている。ソケット５７は、ソケット取付台６１を介して器具本体６０に取り付けられている。
【００４９】
器具本体６０は、一端側６０ｃに天板６２、他端側６０ｄに照射開口６３を有してなり、一端側６０ｃから他端側６０ｄに連続的に拡開する円筒状に成形されている。器具本体６０は、例えばアルミニウム（Ａｌ）からなり、その厚さが１〜２ｍｍであり、ソケット５７に取り付けられるランプ１を内包する大きさに形成されている。そして、器具本体６０には、外面６０ａおよび内面６０ｂに図示しない化粧用の塗膜などが形成されている。
【００５０】
ソケット取付台６１は、例えば１枚の正方形の金属板を折曲して、左右両側に固定板部６１ａ，６１ａ、中間に平面状の取付板部６１ｂを有する断面コ字形に形成されている。金属板として、鉄板やアルミニウム板などが用いられる。そして、ソケット取付台６１は、その固定板部６１ａ，６１ａが例えば溶接により器具本体６０の天板６２の内面６２ｂに取り付けられている。
【００５１】
そして、ソケット取付台６１の取付板部６１ｂに、複数個のねじ６３によりソケット５７が取り付けられている。ソケット５７は、ソケット取付台６１によって器具本体６０内の所定位置に配設されている。取付板部６１ｂには、ねじ６３を挿通する挿通孔６４およびソケット５７から導出された電源線６５ａ，６５ｂを挿通する挿通孔６６が形成されている。
【００５２】
天板６２には、電源線６５ａ，６５ｂを挿通させるための挿通孔６７および木ネジ６８を通すための複数個の通孔６９が形成されている。また、天井５９には、電源線６５ａ，６５ｂを引き出すための貫通孔７０が設けられている。そして、器具本体６０は、通孔６９を通した木ネジ６８が天井５９にねじ込まれて、天井５９に取り付けられている。この状態で、ランプ１は、ソケット５７に着脱される。
【００５３】
なお、本実施形態の照明器具は、直付け形に限らず、ダウンライトなどの埋め込み形や吊り下げ形の照明器具であってもよい。
【００５４】
ソケット５７は、全体として円柱状に形成され、図４に示すように、円筒状であって有底の本体としてのソケット本体７１と、このソケット本体７１内に収納され、口金３の雄ねじ部２６が螺合する雌ねじ部７２を有する円筒体７３と、口金３の頂部２８が当接して頂部２８と電気接続する端子７４を固定している絶縁板７５を有してなり、ソケット本体７１、円筒体７３および絶縁板７５が一体に組みつけられている。
【００５５】
円筒体７３は、導電性材料例えば銅（Ｃｕ）からなり、その内周面７３ｂに雌ねじ部７２が形成されている。絶縁板７５は、電気絶縁性を有する合成樹脂例えばポリブチレンテレフタレート（ＰＢＴ）樹脂からなり、円筒体７３と同径の円盤形に形成されている。絶縁板７５は、円筒体７３の奥側端部７３ｃにおいて、挿通孔７６を通したねじ７７が円筒体７３に形成したねじ孔７８に螺着されて、円筒体７３に取り付けられている。
【００５６】
絶縁板７５には、端子７４を挿通する挿通孔７９が設けられている。そして、端子７４は、絶縁板７５の上面７５ａにおいて、ねじ８０により固定されている。端子７４には、ねじ８０を挿通する符号を付さない挿通孔が形成され、絶縁板７５には、ねじ８０の不図示のねじ孔が形成されている。
【００５７】
端子７４は、中間が折曲された導電性を有する金属板例えば銅板や真鍮板からなり、弾性を有するように形成されている。端子７４は、その先端部７４ａが円筒体７３の開口側に向いており、口金３の頂部２８が当接すると、弾性変形し、弾性復帰力により頂部２８と接触する。端子７４の先端部７４ａは、平面に形成されており、頂部２８と面接触する。また、端子７４は、その弾性変形が円筒体７３の雌ねじ部７２に対する口金３の雄ねじ部２６の螺合の範囲を大きくするように設定されている。
【００５８】
本体としてのソケット本体７１は、磁器または電気絶縁性を有する合成樹脂例えばポリブチレンテレフタレート（ＰＢＴ）樹脂からなり、内部に円筒体７３および絶縁板７５をそれぞれ配設している。すなわち、絶縁板７５の上面７５ａに設けられた一対の支持部材８１，８１を底部８２に固定している。支持部材８１は、金属板例えば鉄板により、断面略Ｚ形に形成されており、ねじ８３により絶縁板７５の上面７５ａに固定され、皿ネジ８４により底部８２の内面８２ｂに固定されている。支持部材８１には、ねじ８３を挿通する不図示の挿通孔および皿ネジ８４を螺着する不図示のねじ孔が形成されている。これにより、円筒体７３および絶縁板７５は、底部８２に吊り下げられるようにして、ソケット本体７１内に設けられている。
【００５９】
そして、ソケット本体７１の底部８２には、ソケット５７をソケット取付台６１に取り付けるためのねじ６３のねじ孔８５が複数個形成され、電源線６５ａ，６５ｂを通すための通孔８６が形成されている。また、絶縁板７５の上面７５ａ側において、端子７４には、ねじ８０により、接続端子８７が取り付けられている。また、円筒体７３の外面７３ａには、ねじ８８により、接続端子８９が取り付けられている。そして、接続端子８７に電源線６５ａが接続され、接続端子８９に電源線６５ｂが接続されている。これにより、端子７４および円筒体７３の雌ねじ部７２に電源線６５ａ，６５ｂを介して外部電源が供給可能となっている。端子７４および雌ねじ部７２は、絶縁板７５により電気絶縁されている。
【００６０】
ソケット５７は、上述したように形成され、ソケット本体７１がソケット取付台６１に取り付けられることにより、ソケット取付台６１に固定されている。そして、ソケット５７にランプ１が着脱される。
【００６１】
ランプ１は、その口金３の雄ねじ部２６がソケット５７の雌ねじ部７２に螺合されている。この螺合は、少なくとも口金３の頂部２８がソケット５７の端子７４に当接するまで行われている。口金３の雄ねじ部２６は、ソケット５７の雌ねじ部７２に部分的に接触して電気接続され、口金３の頂部２８は、ソケット５７の端子７４に端子７４の弾性復帰力で接触されて、端子７４に電気接続されている。そして、伸縮体５の可動体４７の突出部４６は、雄ねじ部２６が雌ねじ部７２に螺合するときに、雌ねじ部７２の内面７２ｂ側に押し込まれて、雌ねじ部７２に擦接している。そして、口金３がソケット５７に取り付けらると、可動体４７の突出部４６は、雌ねじ部７２から押圧されて、ばね部４８による弾性復帰力により雌ねじ部７２に当接している。
【００６２】
次に、本発明の第１の実施形態の作用について述べる。
【００６３】
照明器具５８において、ランプ１は、その口金３が器具本体６０に配設されているソケット５７に螺合して取り付けられる。ランプ１は、例えば、基台２の筐体６部分が手で掴まれる。そして、ランプ１は、その口金３の頂部２８側がソケット５７の円筒体７３の開口から雌ねじ部７２内に挿入される。そして、口金３の雄ねじ部２６が雌ねじ部７２に当接したときに、ランプ１をソケット５７に対して右回りに回転させる。
【００６４】
ランプ１の回転に応じて、口金３の雄ねじ部２６は、ソケット５７の雌ねじ部７２にねじ込まれる。そして、口金３の雄ねじ部２６が雌ねじ部７２にねじ込まれるにしたがい、口金３の頂部２８がソケット５７の端子７４に近づくようになる。そして、口金３の頂部２８が端子７４に接近するまで雄ねじ部２６が雌ねじ部７２にねじ込まれると、ランプ１の伸縮体５の突出部４６の先端４６ａ側が円筒体７３の開口端面７３ｄ（図４に示す。）に当接する。
【００６５】
突出部４６は、開口端面７３ｄにおいて、円筒体７３から押圧される。突出部４６の先端４６ａにおける雄ねじ部２６の外面２６ａからの突出長は小さく、突出部４６の先端４６ａ側は、半球形に形成されているので、円筒体７３が突出部４６に押圧する押圧力は、可動体４７を介してばね部４８に伝達され、ばね部４８を縮ませて、可動体４７を取付け体１５内に移動させる。そして、ランプ１の回転に応じて、突出部４６の先端４６ａ側が円筒体７３の開口端面７３ｄを乗り越えて雌ねじ部７２の内面７２ｂに当接するようになる。突出部４６の先端４６ａ側は、口金３の雄ねじ部２６が雌ねじ部７２にねじ込まれるにしたがい、雌ねじ部７２に擦接する。
【００６６】
そして、口金３の頂部２８は、ソケット５７の端子７４に当接したときに、雄ねじ部２６の雌ねじ部７２へのねじ込みに応じて、端子７４を絶縁板７５側に押し上げて、端子７４を弾性変形させる。端子７４は、当該弾性変形による弾性復帰力で口金３の頂部２８を押圧する。これにより、口金３の頂部２８とソケット５７の端子７４とが接触して電気接続される。
【００６７】
口金３の雄ねじ部２６の雌ねじ部７２のねじ込みは、口金３の頂部２８とソケット５７の端子７４とが接触して電気接続し、雄ねじ部２６と雌ねじ部７２とが完全に螺合するまで行われる。雄ねじ部２６と雌ねじ部７２とが螺合したときには、雄ねじ部２６と雌ねじ部７２とは電気接続されている。
【００６８】
そして、伸縮体５の突出部４６は、口金３の雄ねじ部２６の基端部２６ｄに設けられているので、口金３の雄ねじ部２６が雌ねじ部７２にねじ込まれるときの突出部４６が雌ねじ部７２を擦接する長さは、比較的小さいものである。したがって、突出部４６が雌ねじ部７２の内面７２ｂに押し込まれて当接した後に、当該当接によるランプ１の回転力を増加させる手への負担は、さほど大きくなるものではない。すなわち、ほぼ従来どおりのソケット５７へのランプ１の取付けが可能である。
【００６９】
そして、突出部４６は、ランプ１がソケット５７に取り付けられている状態で、ばね部４８の弾性復帰力により、雌ねじ部７２の内面７２ｂに当接している。伸縮体５は、固定板５５により、口金３を取り付けている取付け体１５に固定されている。したがって、突出部４６が雌ねじ部７２の内面７２ｂに当接していることにより、ランプ１の口金３がソケット５７において回転しにくくなる。すなわち、ランプ１が経年使用されて、口金３の雄ねじ部２６またはソケット５７の雌ねじ部７２が経年劣化し、雄ねじ部２６の雌ねじ部７２への螺合が緩んでも、また、ソケット５７に振動等が加わっても、口金３がソケット５７から取り外れにくくなる。これにより、照明器具５８からランプ１が落下することがほぼ防止される。
【００７０】
本実施形態のランプ１によれば、伸縮体５の突出部４６は、ソケット５７の雌ねじ部７２からの押圧力に対抗する弾性復帰力で雌ねじ部７２を押圧するので、口金３がソケット５７の雌ねじ部７２に保持されるようになり、これにより、ランプ１がソケット５７に亘り取り付けられても、口金３がソケット５７から緩んで取り外れにくくなり、ランプ１をソケット５７から落下しにくくすることができるという効果を有する。
【００７１】
また、伸縮体５の突出部４６は、口金３の雄ねじ部２６の基端部２６ｄに設けられているので、突出部４６が雌ねじ部７２を擦接する長さが比較的小さいものとなり、これにより、ランプ１のソケット５７への取付けを負担なく行うことができるという効果を有する。
【００７２】
本実施形態の照明器具５８によれば、ランプ１の伸縮体５が口金３に設けられて、突出部４６が雌ねじ部７２に当接するので、ランプ１がソケット５７に取り付けられているときに突出部４６などが外部から見えることがなく、これにより、外観が損なわれることを防止できるとともに、伸縮体５によってランプ１を大形化することを防止できるという効果を有する。
【００７３】
次に、本発明の第２の実施形態について説明する。
【００７４】
本実施形態のランプ１Ａは、図５に示すように構成される。なお、図５において、図１と同一部分には、同一符号を付して説明は省略する。
【００７５】
ランプ１Ａは、図１に示すランプ1において、２個の伸縮体５が設けられたものである。２個の伸縮体５は、それぞれの突出部４６，４６が互いに反対方向を向くように固定板５５に取り付けられている。突出部４６，４６は、口金３の雄ねじ部２６の外面２６ａに、周方向に互いに１８０°離れて設けられている。
【００７６】
本実施形態のランプ１Ａによれば、２個の伸縮体５の突出部４６，４６がソケット５７の雌ねじ部７２に当接して弾性復帰力で雌ねじ部７２を押圧するので、口金３がソケット５７の雌ねじ部７２に２箇所において保持されるようになり、これにより、口金３がソケット５７からより取り外れにくくなり、ランプ１Ａをソケット５７からより落下しにくくすることができるという効果を有する。
【００７７】
次に、本発明の第３の実施形態について説明する。
【００７８】
本実施形態のソケット５７Ａは、図６に示すように構成される。なお、図６において、図４と同一部分には、同一符号を付して説明は省略する。
【００７９】
ソケット５７Ａは、図４に示すソケット５７において、雌ねじ部７２の内面７２ｂに凹部９０が設けられたものである。凹部９０は、突出部４６の先端４６ａ側を嵌め込みおよび嵌め外し可能に形成されている。すなわち、ランプ１の回転によって、突出部４６の先端４６ａ側が凹部９０から外れることができるように半球面状に形成されている。
【００８０】
口金３は、突出部４６の先端４６ａ側が凹部９０に嵌め込まれるように、その雄ねじ部２６がソケット５７Ａの雌ねじ部７２にねじ込まれる。当該ねじ込みは、ソケット５７Ａの端子７４の弾性変形により吸収される。すなわち、口金３の雄ねじ部２６と、ソケット５７Ａの雌ねじ部７２との螺合のばらつきに対して、突出部４６の先端４６ａ側を凹部９０に嵌め込み可能としている。
【００８１】
本実施形態のソケット５７Ａによれば、伸縮体５の突出部４６が雌ねじ部７２の凹部９０に嵌め込まれて雌ねじ部７２を押圧するので、突出部４６が凹部９０から容易に外れにくいことにより、口金３がソケット５７Ａからさらに取り外れにくくなり、ランプ１をソケット５７Ａからさらに落下しにくくすることができるという効果を有する。
【００８２】
次に、本発明の第４の実施形態について説明する。
【００８３】
本実施形態の照明器具９１は、図７に示すように構成される。なお、図３と同一部分には、同一符号を付して説明は省略する。
【００８４】
照明器具９１は、天井５９に直付けされる直付け形照明器具であり、ソケット取付台９２、ソケット５７Ｂおよびランプ１Ｂを有して構成されている。
【００８５】
ソケット取付台９２は、例えば１枚の正方形の金属板を折曲して、左右両側に固定板部９２ａ，９２ａ、中間に平面状の取付板部９２ｂを有する断面コ字形に形成されている。金属板として、鉄板やアルミニウム板などが用いられる。そして、ソケット取付台９２は、その固定板部９２ａ，９２ａに形成された通孔９３，９３を通した木ネジ６８，６８により天井５９に取り付けられている。
【００８６】
そして、ソケット取付台９２は、その取付板部９２ｂに複数個のねじ６３により、ソケット５７Ｂを取り付けている。取付板部９２ｂには、ねじ６３を挿通する符号を付さない挿通孔が形成されているとともに、電源線６５ａ，６５ｂを挿通する挿通孔９４が形成されている。ソケット取付台９２は、ソケット５７Ｂを配設する器具本体を果たしている。
【００８７】
ソケット５７Ｂは、図４に示すソケット５７において、円筒体７３の雌ねじ部７２に貫通孔９５が形成され、ソケット本体７１に貫通孔９５に正対する挿入孔９６が形成されたものである。その他の構成は、ソケット５７と同様である。貫通孔９５は、取付け体１５および口金３の雄ねじ部２６にそれぞれ形成された挿通孔５１，５２と同径の円柱状であって、挿通孔５１，５２に正対するように形成されている。また、挿入孔９６は、貫通孔９５よりも幾分大径に形成されている。
【００８８】
ランプ１Ｂは、図１に示すランプ１において、伸縮体５が伸縮体５Ａに形成された以外、ランプ１と同様に形成されている。伸縮体５Ａの可動体４７Ｅは、その突出部４６Ｅの全長が伸縮体５の突出部４６よりも大きく形成されている。突出部４６Ｅは、雌ねじ部７２の貫通孔９５内に位置するように形成されている。また、伸縮体５Ａの固定体４９Ｅは、その内側円筒部５４Ｅの起立長が伸縮体５の内側円筒部５４よりも小さく形成されている。すなわち、伸縮体５Ａは、その突出部４６Ｅが外方からの押圧により口金３の雄ねじ部２６の外面２６ａまで移動可能に形成されている。
【００８９】
伸縮体５Ａの突出部４６Ｅは、口金３の雄ねじ部２６がソケット５７Ｂの雌ねじ部７２にねじ込まれときに、円筒体７３の開口端面７３ｄにおいて、例えば押圧工具９７により、その先端４６ａ側が雌ねじ部７２の内面７２ｂ側まで押圧されて、雌ねじ部７２の内面７２ｂに当接される。
【００９０】
また、伸縮体５Ａの突出部４６Ｅは、ランプ１Ｂをソケット５７Ｂから取り外すときに、ソケット本体７１の挿入孔９６から押圧工具９７により、その先端４６ａ側が雄ねじ部２６の外面２６ａ側まで押圧される。
【００９１】
本実施形態のランプ１Ｂおよびソケット５７Ｂ（照明器具９１）によれば、伸縮体５Ａの突出部４６Ｅが円筒体７３の貫通孔９５に挿入されているので、口金３が円筒体７３内に保持され、これにより、ランプ１Ｂがソケット５７Ｂに経年使用されて、口金３の雄ねじ部２６およびソケット５７Ｂの雌ねじ部７２がそれぞれ経年劣化しても、口金３がソケット５７Ｂから取り外れなく、ランプ１Ｂを経年に亘りソケット５７Ｂから落下しにくくすることができるという効果を有する。
【００９２】
なお、伸縮体５Ａは、その突出部４６Ｅが円筒体７３の貫通孔９５からソケット本体７１の挿通孔９６側に突出するように形成されていてもよい。
【符号の説明】
【００９３】
１，１Ａ，１Ｂ…ランプ、  ２…基台、  ３…口金、  ４…発光体、  ５，５Ａ…伸縮体、  ２６…雄ねじ部、  ２６ｄ…基端部、  ２８…頂部、  ４６，４６Ｅ…突出部、  ４８…ばね部、  ５８，９１…照明器具、  ５７，５７Ａ，５７Ｂ…ソケット、  ６０…器具本体、  ７１…本体としてのソケット本体、  ７２…雌ねじ部、  ７４…端子、  ９０…凹部、  ９５…貫通孔、  ９６…挿入孔
【図１】
2014049381.tif 000003
【図２】
2014049381.tif 000004
【図３】
2014049381.tif 000005
【図４】
2014049381.tif 000006
【図５】
2014049381.tif 000007
【図６】
2014049381.tif 000008
【図７】
2014049381.tif 000009